(57)【要約】      （修正有）【課題】表示部の浮き上がりを抑制する炊飯器を提供する。【解決手段】本体と、本体の上部に開閉自在に取り付けられる蓋体と、蓋体又は本体の内部に設けられ、表示部４３ｃを有するユニット４０と、を備え、ユニット４０は、リブ取付部４２ｄが形成される基板４２と、リブ取付部４２ｄに挿入される押さえリブ４３ｄが設けられ、表示部４３ｃが取り付けられた表示部取付部材４３ａと、を有し、表示部取付部材４３ａの押さえリブ４３ｄと、基板４２のリブ取付部４２ｄとが係合することで、表示部取付部材４３ａは基板４２に取り付けられる。【選択図】図５
2015008888.tif 000002
【特許請求の範囲】
【請求項１】
本体と、
前記本体の上部に開閉自在に取り付けられる蓋体と、
前記蓋体又は前記本体の内部に設けられ、表示部を有するユニットと、を備え、
前記ユニットは、
リブ取付部が形成される基板と、
前記リブ取付部に挿入されるリブが設けられ、前記表示部が取り付けられた表示部取付部材と、を有し、
前記表示部取付部材の前記リブと、前記基板の前記リブ取付部とが係合することで、前記表示部取付部材は前記基板に取り付けられる
ことを特徴とする炊飯器。
【請求項２】
前記表示部取付部材に取り付けられ、前記表示部が嵌る開口部が形成された表示部保持台を備え、
前記基板には、ガイドリブ取付部が形成され、
前記表示部保持台には、前記ガイドリブ取付部に挿入されるガイドリブが設けられた
ことを特徴とする請求項１に記載の炊飯器。
【請求項３】
前記表示部の上面をシールするシール部材を設けた
ことを特徴とする請求項１又は請求項２記載の炊飯器。
【請求項４】
前記ユニットは、ネジで前記蓋体に取り付けられる
ことを特徴とする請求項１〜請求項３の何れか一項に記載の炊飯器。
【発明の詳細な説明】
【技術分野】
【０００１】
本発明は、炊飯器に関する。
【背景技術】
【０００２】
従来、液晶表示装置を備えた炊飯器があった（例えば、特許文献１参照）。また、従来、液晶表示装置にはピン端子が設けられ、液晶表示装置のピン端子をプリント配線板の穴に挿通した状態でピン端子を半田付けすることで、液晶表示装置とプリント配線板とを電気的に接続するものがあった（例えば、特許文献２参照）。
【先行技術文献】
【特許文献】
【０００３】
【特許文献１】特開２００３−３１０４３２号公報（［００２６］、図２）
【特許文献２】特開平１０−２７０１０５号公報（［００２１］、［００２２］、図１）
【発明の概要】
【発明が解決しようとする課題】
【０００４】
しかしながら、特許文献１記載の炊飯器には、液晶表示装置（表示部）のプリント配線板（基板）への取付構造について具体的に記載されていない。また、仮に、特許文献１記載の炊飯器に、特許文献２記載のピン端子を有する液晶表示装置（表示部）を設けたとしても、表示部の素材が半田槽の熱で変形し、表示部とプリント配線板（基板）との取付状態が解除され、表示部が浮き上がってしまうことが想定される。また、表示部が変形しない場合でも、表示部が基板に対してガタツキが生じると、表示部と基板との取付状態が解除され、表示部が浮き上がってしまうことが想定される。
【０００５】
本発明は、上述のような課題を解決するためになされたものであり、表示部の浮き上がりを抑制する炊飯器を提供することを目的とする。
【課題を解決するための手段】
【０００６】
本発明に係る炊飯器は、本体と、前記本体の上部に開閉自在に取り付けられる蓋体と、前記蓋体又は前記本体の内部に設けられ、表示部を有するユニットと、を備え、前記ユニットは、リブ取付部が形成される基板と、前記リブ取付部に挿入されるリブが設けられ、前記表示部が取り付けられた表示部取付部材と、を有し、前記表示部取付部材の前記リブと、前記基板の前記リブ取付部とが係合することで、前記表示部取付部材は前記基板に取り付けられる。
【発明の効果】
【０００７】
本発明によれば、表示部が取り付けられた表示部取付部材を備え、表示部取付部材のリブと、基板のリブ取付部とが係合することで、表示部取付部材は基板に取り付けられる。このため、表示部の浮き上がりを抑制することができる。
【図面の簡単な説明】
【０００８】
【図１】実施の形態１に係る炊飯器１００の全体斜視図である。
【図２】実施の形態１に係る炊飯器１００の平面図である。
【図３】実施の形態１に係る炊飯器１００の縦断面図である。
【図４】実施の形態１に係る炊飯器１００の蓋体４の分解斜視図である。
【図５】実施の形態１に係る炊飯器１００のユニット４０の分解斜視図である。
【図６】実施の形態１に係る炊飯器１００のユニット４０の第１の例を示す図である。
【図７】実施の形態１に係る炊飯器１００のユニット４０の第２の例を示す図である。
【図８】実施の形態１に係る炊飯器１００のユニット４０が蓋体４に組み込まれた状態を示す図であり、図２の部分拡大図である。
【図９】実施の形態１に係る炊飯器１００のフラットケーブル４３ｂを示す図である。
【図１０】比較例に係る炊飯器１００のピン端子１４３ｂを示す図である。
【発明を実施するための形態】
【０００９】
以下、本発明の実施の形態に係る炊飯器１００を説明する。なお、以下に示す図面の形態によって本発明が限定されるものではない。なお、以下の説明において、理解を容易にするために位置を表す用語（例えば「上」、「下」など）を適宜用いるが、これは説明のためのものであって、これらの用語は本願発明を限定するものではない。
【００１０】
実施の形態１．
図１は実施の形態１に係る炊飯器１００の全体斜視図である。図２は実施の形態１に係る炊飯器１００の平面図である。図３は実施の形態１に係る炊飯器１００の縦断面図である。
【００１１】
図１に示されるように、炊飯器１００は、本体１と、本体１の上部に開閉自在に取り付けられる蓋体４と、を備える。蓋体４の前面には、蓋開閉ボタン５が設けられる。図１，図２に示されるように、蓋体４の上面には、複数の操作部２及び透過部１０が設けられる。透過部１０は、この部分を通して蓋体４の内部を視認できるように、少なくとも蓋体４の一部が透明になっている。
【００１２】
図３に示されるように、本体１は、内鍋３が設置されるように上面が開口しており、この開口に内鍋３が設置される。内鍋３の底面の下方には、内鍋３の温度を検知する温度センサ１３と、内鍋３を誘導加熱する誘導加熱コイル１２と、が設けられる。温度センサ１３は、例えばサーミスタで構成される。
【００１３】
本体１の背面側には、温度センサ１３の検知温度等に基づいて誘導加熱コイル１２の火力を制御する制御基板２０が設けられる。本体１の前面側には、内鍋３の内部の被加熱物が加熱されて発生した蒸気を回収する蒸気回収タンク２１が設けられる。
【００１４】
蓋体４には、内蓋８が着脱自在に装着されている。内蓋８の外周部には、蓋体４が閉じられたときに、内鍋３の上部開口を密閉状態にする蓋パッキン８ａが取り付けられている。蓋体４については、図４以降で詳述する。
【００１５】
図４は実施の形態１に係る炊飯器１００の蓋体４の分解斜視図である。
図４に示されるように、蓋体４は、底部４１と、底部４１の上面を覆う天面パネル４６と、を備える。底部４１の内部にはユニット４０が設けられる。底部４１と天面パネル４６との間には、シール部材４７が設けられる。シール部材４７は、底部４１のうちでユニット４０の一部材（後述する表示部ユニット保持台４４）と天面パネル４６をシールする部材である。シール部材４７を設けることで、天面パネル４６の透過部１０の内側が、蒸気及び湿気で曇ることを抑制することができる。ユニット４０については、図５を用いて詳しく説明する。
【００１６】
図５は実施の形態１に係る炊飯器１００のユニット４０の分解斜視図である。
図６は実施の形態１に係る炊飯器１００のユニット４０の第１の例を示す図である。図７は実施の形態１に係る炊飯器１００のユニット４０の第２の例を示す図である。
図８は実施の形態１に係る炊飯器１００のユニット４０が蓋体４に組み込まれた状態を示す図であり、図２の部分拡大図である。
図９は実施の形態１に係る炊飯器１００のフラットケーブル４３ｂを示す図である。
図１０は比較例に係る炊飯器１００のピン端子１４３ｂを示す図である。
【００１７】
図５に示されるように、ユニット４０は、基板４２と、表示部ユニット４３と、表示部ユニット保持台４４と、シール部材４５と、を有している。
【００１８】
基板４２は、各種部品を取り付けるための基板である。基板４２の上面には、例えば、タクトスイッチ４２ａ及びコネクタ４２ｂが設けられる。基板４２には、後述する押さえリブ４３ｄが取り付けられる開口であるリブ取付部４２ｄが形成されている。また、基板４２には、後述するガイドリブ４４ｅが取り付けられる開口であるガイドリブ取付部４２ｅが形成されている。コネクタ４２ｂは、上部が開口した形状となっている。
【００１９】
表示部ユニット４３は、表示部取付部材４３ａと、フラットケーブル４３ｂと、表示部４３ｃと、押さえリブ４３ｄと、突出部４３ｆと、を備える。表示部ユニット４３は、蓋体４又は本体１に設けられる。表示部取付部材４３ａは、例えば、平面視した状態で略四角形状の枠体であり、表示部４３ｃを保持する部材である。フラットケーブル４３ｂは、表示部４３ｃの前面側から導出されるように設けられている。フラットケーブル４３ｂは、先端部分に設けられているコネクタ（図示省略）が、コネクタ４２ｂの開口部分に挿入されて取り付けることができるような形状となっている。
【００２０】
表示部４３ｃは、表示部取付部材４３ａの内部に嵌る形状となっている。表示部４３ｃは、表示画面、及びこの表示画面を駆動する電子部品で構成される。表示部４３ｃは、例えば、液晶又は有機ＥＬで構成される。押さえリブ４３ｄは、表示部取付部材４３ａの側方から下方に突出して設けられている。押さえリブ４３ｄは、リブ取付部４２ｄに挿入される部材である。押さえリブ４３ｄは、例えば、略Ｖ字状に屈曲した弾性変形可能な部材で構成され、屈曲した部位が最も下方に位置している。表示部取付部材４３ａの外面には、後述する溝部４４ｆに嵌る突出部４３ｆが設けられている。突出部４３ｆは、表示部取付部材４３ａの左右側面に設けられている。
【００２１】
表示部ユニット保持台４４は、表示部４３ｃが嵌る開口部４４ｃが形成された部材である。表示部ユニット保持台４４の外周には、複数の操作連動部４４ａ、押さえリブ４４ｂ及びガイドリブ４４ｅが設けられる。操作連動部４４ａは、外部からの力により、上下方向に動くことができる。そして、表示部ユニット保持台４４の開口部４４ｃの左右側面には、突出部４３ｆが嵌る溝部４４ｆが形成されている。複数の操作連動部４４ａは、複数の操作部２に対応して設けられている。すなわち、使用者が、操作部２を押圧操作することで、操作連動部４４ａが下方に押し下げられ、タクトスイッチ４２ａが押される。つまり、操作連動部４４ａは、操作部２に作用した力をタクトスイッチ４２ａへと伝える部材である。押さえリブ４４ｂは、ユニット４０が組み立てられた状態で、フラットケーブル４３ｂを保持する（押さえる）ための部材であり、下方に突出している。押さえリブ４４ｂは、ユニット４０を組み立てた状態で、操作連動部４４ａよりも背面側に位置するように設けられている。ガイドリブ４４ｅは、表示部ユニット保持台４４の側方から下方に突出して設けられている。ガイドリブ４４ｅは、ガイドリブ取付部４２ｅに挿入される部材である。
【００２２】
シール部材４５は、表示部ユニット保持台４４の上部に設けられ、表示部４３ｃ及び表示部ユニット保持台４４をシールする部材である。シール部材４５を設けることで、表示部４３ｃの上部が、蒸気及び湿気で曇ることを抑制することができる。ガイドリブ４４ｅがガイドリブ取付部４２ｅに挿入されることで、表示部ユニット保持台４４が基板４２に取り付けられる。
【００２３】
表示部ユニット保持台４４に開口部４４ｃを形成することで、表示部ユニット保持台４４の開口部周辺の強度は低下するが、押さえリブ４３ｄを設けることで、表示部ユニット保持台４４が補強される。すなわち、押さえリブ４３ｄが補強リブとしても機能する。押さえリブ４３ｄは、ユニット４０が組み立てられた状態で、リブ取付部４２ｄに取り付けられる。
【００２４】
以下に、図５を用いてユニット４０の組立について説明する。
まず、フラットケーブル４３ｂがコネクタ４２ｂに位置するように、また、押さえリブ４３ｄがリブ取付部４２ｄに取り付けられるように、表示部取付部材４３ａが基板４２に取り付けられる。このようにして、基板４２と表示部ユニット４３とが電気的に接続される。
【００２５】
次に、操作連動部４４ａがタクトスイッチ４２ａに位置するように、ガイドリブ４４ｅがガイドリブ取付部４２ｅに挿入されるように、表示部ユニット保持台４４が基板４２に取り付けられる。また、表示部ユニット保持台４４の上部に位置するようにシール部材４５が設けられる。
【００２６】
このように、表示部取付部材４３ａ及び表示部ユニット保持台４４が、基板４２に取り付けられるとき、突出部４３ｆは溝部４４ｆに入り込み、表示部ユニット４３は、表示部ユニット保持台４４によって押さえ付けられる。そして、シール部材４５が設けられることで、図６に示されるようにユニット４０が組み立てられる。このようにして、押さえリブ４４ｂは、フラットケーブル４３ｂを基板４２側に押さえる。
【００２７】
なお、押さえリブ４３ｄをリブ取付部４２ｄに挿入すると、押さえリブ４３ｄは弾性変形し、この状態でさらに押さえリブ４３ｄを押し込むと、押さえリブ４３ｄは、基板４２の裏面（表示部取付部材４３ａが取り付けられる面とは反対の面）から次第に露出する。そして、この状態で、押さえリブ４３ｄをさらに押し込むと、縮んだ押さえリブ４３ｄは弾性復元し、押さえリブ４３ｄとリブ取付部４２ｄとが係合し、表示部取付部材４３ａは基板４２に取り付けられる。
【００２８】
図６に示されるようにユニット４０が組み立てられた状態で、操作連動部４４ａが押下されると、操作連動部４４ａを押下する力がタクトスイッチ４２ａに加わり、操作された操作連動部４４ａに対応する操作内容が実行される。ここで、フラットケーブル４３ｂは、コネクタ４２ｂに差し込む作業性を考慮して、ある程度のたるみが生じるように構成されている。そして、フラットケーブル４３ｂのうち、例えば最も前面側には、湾曲部４３ｂ１が形成されている。湾曲部４３ｂ１は、押さえリブ４４ｂがフラットケーブル４３ｂを基板４２側に押さえた状態で、操作連動部４４ａよりも背面側に位置している。このため、フラットケーブル４３ｂが操作連動部４４ａに干渉する可能性を低減でき、ある程度のたるみが生じるフラットケーブル４３ｂを用いても、操作性の悪化を抑制することができる。
【００２９】
なお、図７に示されるように、フラットケーブル４３ｂの上面を複数の面で押さえこむように押さえリブ４４ｂを構成してもよい。具体的には、図６で、押さえリブ４４ｂとフラットケーブル４３ｂとが当接する位置よりも、フラットケーブル４３ｂの先端側において、押さえリブ４４ｂが、フラットケーブル４３ｂを基板４２側に押さえる構成となっている。このように構成すれば、図６のように押さえリブ４４ｂを設けた場合に比べ、フラットケーブル４３ｂの抜け止めを一層抑制することができる。押さえリブ４４ｂが、フラットケーブル４３ｂを基板４２側に押さえる箇所は、図６に示されるような一箇所、図７に示されるような二箇所に限定されるものではなく、三箇所以上であってもよい。また、押さえリブ４４ｂが、フラットケーブル４３ｂの上面全体を基板４２側に押さえるようにしてもよい。また、フラットケーブル４３ｂの湾曲する回数は図示のように一回に限定されるものでなく、複数回湾曲するように構成してもよい。
【００３０】
図６又は図７に示されるようにユニット４０が組み立てられた状態で、ネジ５０が、底部４１のネジ穴４１ａに挿通され、底部４１が天面パネル４６に取り付けられると、図８に示されるように、ユニット４０が蓋体４の内部に取り付けられた状態となる。このとき、前述のシール部材４７を挟み込んだ状態で、天面パネル４６が表示部ユニット保持台４４を押さえつけ、表示部４３ｃは完全に固定された状態になる。なお、底部４１にネジ穴４１ａが設けられず、底部４１に取り付けられる別の部材を設けてネジ穴を形成し、そのネジ穴にネジ５０を挿通し、底部４１を天面パネル４６に取り付けるようにしてもよい。
【００３１】
以上のように、本実施の形態１に係る炊飯器１００は、本体１と、本体１の上部に開閉自在に取り付けられる蓋体４と、蓋体４又は本体１の内部に設けられ、表示部４３ｃを有するユニット４０と、を備え、ユニット４０は、リブ取付部４２ｄが形成される基板４２と、リブ取付部４２ｄに挿入される押さえリブ４３ｄが設けられ、表示部４３ｃが取り付けられた表示部取付部材４３ａと、を有し、表示部取付部材４３ａの押さえリブ４３ｄと、基板４２のリブ取付部４２ｄとが係合することで、表示部取付部材４３ａは基板４２に取り付けられる。このため、表示部取付部材４３ａが表示部４３ｃを押さえつけ、基板４２によって表示部４３ｃの浮き上がりを抑制することができる。また、基板４２に対して表示部取付部材４３ａを位置決めすることができる。
【００３２】
また、フラットケーブル４３ｂが表示部取付部材４３ａの前面側（使用者側）に設けられている。このため、表示部取付部材４３ａが蓋体４内に組み込まれたとき、使用者が、炊飯器１００の前面側から蓋体４の透過部１０を介して蓋体４内部を覗き込み、フラットケーブル４３ｂを視認できる可能性は少なくなり、意匠性を損なうことを軽減できる。
【００３３】
また、押さえリブ４３ｄがリブ取付部４２ｄに挿入され、表示部取付部材４３ａが基板４２に取り付けられる。さらに、表示部取付部材４３ａの突出部４３ｆを、表示部ユニット保持台４４の溝部４４ｆで上方から押さえ付ける。そして、天面パネル４６で表示部取付部材４３ａを押しつける。このようにして、ユニット４０が組み立てられた状態で、表示部取付部材４３ａが浮き上がりにくくなる。
【００３４】
また、ガイドリブ４４ｅがガイドリブ取付部４２ｅに挿入され、表示部ユニット保持台４４が基板４２に取り付けられる。このため、表示部ユニット保持台４４の基板４２への取付状態を強固にすることができる。ここで、表示部ユニット保持台４４が、表示部取付部材４３ａに取り付けられた状態で、表示部ユニット保持台４４は、基板４２に取り付けられる。このため、表示部ユニット保持台４４の基板４２への取付状態が強固になると、表示部４３ｃの浮き上がりをさらに抑制することができる。
【００３５】
また、表示部４３ｃの上部をシールするシール部材４５が設けられている。このため、炊飯工程で発生する蒸気が、表示部４３ｃに浸入することを抑制できる。
【００３６】
なお、本実施の形態においては、図９に示されるようなフラットケーブル４３ｂを用いた例を説明したが、フラットケーブル４３ｂに代えて、図１０に示されるように、表示部１４３ｃに取り付けられるピン端子１４３ｂを用いてもよい。この場合には、ピン端子１４３ｂを基板（図示省略）に直接半田付けするため、基板の素材が半田槽の熱で変形し、表示部１４３ｃと基板との取付状態が解除され、基板の表示部が浮き上がってしまうことが考えられる。このような場合でも、本実施の形態においては、表示部取付部材４３ａの押さえリブ４３ｄと、基板４２のリブ取付部４２ｄとが係合し、表示部取付部材４３ａが基板４２に取り付けられるため、表示部４３ｃの浮き上がりを抑制することができる。
【００３７】
また、フラットケーブル４３ｂは、表示部４３ｃに接続される接続部位の近くで曲げ応力が加えられると、接続部の接着が剥がれやすくなるため、表示部４３ｃに近い位置で曲げ応力が加わらないように折り曲げることが望ましい。
【００３８】
また、押さえリブ４３ｄが、本発明のリブに相当する。
尚、本実施の形態において、表示部ユニット４３、表示部ユニット保持台４４、基板４２は、蓋体４の内部に設けられた形態で説明したが、本体１の内部に設けてもよい。
【符号の説明】
【００３９】
１  本体、２  操作部、３  内鍋、４  蓋体、５  蓋開閉ボタン、８  内蓋、８ａ  蓋パッキン、１０  透過部、１２  誘導加熱コイル、１３  温度センサ、２０  制御基板、２１  蒸気回収タンク、４０  ユニット、４１  底部、４１ａ  ネジ穴、４２  基板、４２ａ  タクトスイッチ、４２ｂ  コネクタ、４２ｄ  リブ取付部、４２ｅ  ガイドリブ取付部、４３  表示部ユニット、４３ａ  表示部取付部材、４３ｂ  フラットケーブル、４３ｂ１  湾曲部、４３ｃ  表示部、４３ｄ  押さえリブ、４３ｆ  突出部、４４  表示部ユニット保持台、４４ａ  操作連動部、４４ｂ  押さえリブ、４４ｃ  開口部、４４ｅ  ガイドリブ、４４ｆ  溝部、４５  シール部材、４６  天面パネル部、４７  シール部材、５０  ネジ、１００  炊飯器、１４３ｂ  ピン端子、１４３ｃ  表示部。
【図１】
2015008888.tif 000003
【図２】
2015008888.tif 000004
【図３】
2015008888.tif 000005
【図４】
2015008888.tif 000006
【図５】
2015008888.tif 000007
【図６】
2015008888.tif 000008
【図７】
2015008888.tif 000009
【図８】
2015008888.tif 000010
【図９】
2015008888.tif 000011
【図１０】
2015008888.tif 000012